(57)【特許請求の範囲】
【請求項１】
金属製飲料用缶のための缶端部（２）であって、
−キャップトップ（３）を含み、前記キャップトップ（３）は、飲用または注ぎ用アパーチャを形成するよう、予め規定された溝（９）に沿って前記キャップトップを前記缶端部から除去するように構成されるプルタブ（４）に接続状態で配され；前記缶端部はさらに、
−飲用後または注いだ後に、前記飲用または注ぎ用アパーチャを封止するように構成される遮断弁（６）を含み；
前記キャップトップ（３）は、前記除去の後、前記遮断弁（６）の上に位置するままであるように構成され、
−前記缶端部（２）は、さらに、前記缶端部に取付けられる弾性復元要素（１０）をふくむことと、前記遮断弁（６）は、弾性的に動作され、前記弾性復元要素（１０）の一部であるかまたは前記弾性復元要素（１０）に接続され、飲用後または注いだ後に、前記弾性復元要素（１０）の作用によって、前記飲用または注ぎ用アパーチャを閉じて封止するように構成されることとにおいて特徴付けられる、缶端部。
【請求項２】
前記弾性復元要素（１０）は、前記キャップトップ（３）を移動させると前記遮断弁（６）を開いた位置において保持するための保持手段（３２）を有する、請求項１に記載の缶端部。
【請求項３】
前記弾性復元要素（１０）と前記缶端部との間に中間要素（８０）をさらに含む、請求項１または２に記載の缶端部。
【請求項４】
缶本体（１）と請求項１〜３のいずれか１つに記載の缶端部（２）とを含む、金属製飲料用缶。
【請求項５】
請求項４に記載の缶を製造する方法であって、
−請求項１〜３のいずれか１つに記載の缶端部（２）を製造するステップと；
−缶本体（１）を製造するステップと；
−前記缶端部を前記缶本体に取付けるステップとを含む、方法。
【請求項６】
再閉する金属製飲料用缶を用いるための方法であって、
前記缶は缶本体（１）と缶端部（２）とを含み、前記方法は、
−前記缶端部（２）のプルタブ（４）を動かし、前記缶端部の予め定められた溝（９）に沿って前記缶端部（２）のキャップトップ（３）を除去して、飲用または注ぎ用アパーチャを形成するステップと；
−前記缶端部の弾性復元要素（１０）の一部であるかまたは前記弾性復元要素（１０）に接続され、飲用後または注いだ後に、前記弾性復元要素（１０）の作用によって、前記飲用または注ぎ用アパーチャを閉じて封止するように構成される遮断弁（６）を、前記プルタブ（４）を動かすことによって、弾性的に開くステップとを含み；前記除去されたキャップトップ（３）は、前記遮断弁（６）の上に位置するままである、方法。
【発明の詳細な説明】
【技術分野】
【０００１】
発明の分野
この発明は、食物製品、特に飲料のための缶のような容器、および容器または缶を製造する方法に関する。容器または缶は、炭酸飲料または飲料に対して特に好適である。容器または缶は、最初に開けた後に容易に再閉するための手段を設けられることが可能である。
【背景技術】
【０００２】
発明の背景
金属製飲料用缶は、通常、予め定められる浅い溝に沿って缶を開けることを可能にする（レバー機構として働く）プルタブを有する。この設計は、缶が開けられるときに、缶において過剰な圧力を放出することを可能にする。タブが持上げられると、まず、脱気刻み目が切断され、缶においてガスが放出されることを可能にし、次いで、アパーチャ刻み目が断裂され、それによって、飲料用缶の内容物が供給されてもよいアパーチャを規定する。溝は、閉じていないループの形状を有し、圧力が、レバーによって、溝に沿って金属を裂くように加えられると、レバーがその元の位置に戻されても、はぎ取られる金属タブは缶の頂部に取付けられたままである。
【０００３】
既存の缶では、永久的な開口部がこれらの操作によって形成され、そのため、缶の内容物は飲むことができるが、他方、二酸化炭素は逃げるかもしれず、流出が生じるかもしれない。
【０００４】
特許ＵＳ４７８４２８３およびＵＳ５８１０１８９は、缶が初めて開けられた後、飲用のアパーチャを再閉するように構成される、ばねにより加重をかけられるタブを、缶の内側に含む飲料用缶を開示する。しかしながら、炭酸飲料用缶では、圧力がガスのために缶に蓄積される。缶における液体の量が減少するにつれ、圧力は減少するが、圧力は最初は非常に高くあり得：液体の温度によって、この圧力は３〜４バールの間である場合がある。閉じている表面におけるたとえば２．５〜３．５ｃｍ２のようなそのような高い圧力は、結果として、缶が依然として大量の飲料を含んでいるときに飲むために缶を開ける際に打ち消す必要がある大きな力を生じる。
【０００５】
特許出願ＷＯ  ２００７／１４７５４２  Ａ１は、飲料用缶のための閉じる装置を開示し、この装置は、飲料用缶の壁部に設けられる開口タブと、開口タブを内方向に押圧するための開口要素と、開口タブを飲料用缶の前記壁部に着脱可能に固定するための固定装置とを含む。
【０００６】
発明者Perraの特許出願ＵＳ２００８／０３１４９０４は、開口部を設けられた壁部および開口部を封止するシールド部材を含む食物製品容器、特に飲料容器のための閉じる装置を開示する。シールド部材は、壁部において開口部を封止する第１の閉じた位置と、開口部を少なくとも部分的に開けておく第２の開いた位置との間で変位可能である。シールド部材は、第１の閉じた位置においてシールド部材を固定するロッキング部材を設けられ、第１の閉じた位置において向き付けられたシールド部材は、ロッキング部材を変位させることによってロック解除することが可能である。（飲用）開口部をロック解除する動作およびそれを開ける動作は、両方の動作が互いから独立して最適化され得るように、分離される。食物製品容器は、ソーダ水のような炭酸飲料に対して用いることが可能である。この場合、圧力がガスのために飲料容器に蓄積される。実施例においては、飲料容器が初めて開けられるときに飲料容器において圧力を減少させるために逃がし弁として作用する気体流路をともなう閉じる装置が開示される。炭酸飲料のための代わりに、食物製品容器は、たとえば非炭酸飲料、インスタントスープ、インスタントコーヒー、オイル、蜂蜜、ソース、ミルクまたはヨーグルトのような乳製品など、他の食料品に対して用いることも可能である。
【発明の概要】
【０００７】
この発明は、代替的な容器、たとえば食物製品、特に炭酸飲料のような飲料のための缶を提供する。容器または缶の実施例の利点は、それが初めて開けられた後、容易に再閉するための手段が設けられるということである。したがって、食物または液体をこぼすことが回避される。いくつかの実施例においては、再閉は液体のみならず気体も密閉する。炭酸飲料の場合においては、二酸化炭素は、従来の缶の場合のように、缶から流出せず、なぜならば、この発明に従う缶は再閉されるからである。
【０００８】
この発明は、一実施例において、選択肢的に炭酸飲料のために金属製飲料用缶のための缶端部を提供し、この缶端部は、
−キャップトップを含み、キャップトップは、飲用または注ぎ用アパーチャを形成するよう、予め規定された溝に沿ってキャップトップを缶端部から除去するように構成されるプルタブに接続状態で配され；缶端部はさらに、
−缶端部に取付けられる、弾性復元要素と；
−弾性復元要素の一部であるかまたは弾性復元要素に接続され、飲用後または注いだ後に、前記弾性復元要素の作用によって、飲用または注ぎ用アパーチャを閉じて封止するように構成される、弾性的に動作される遮断弁とを含み；
キャップトップは、除去の後、遮断弁の上に位置するままであるように構成される。
【０００９】
弾性復元要素は、キャップトップを移動させると遮断弁を開いた位置において保持するための保持手段を有してもよい。
【００１０】
この発明は、さらに、缶本体およびこの発明に従う缶端部を含む、選択肢的に炭酸飲料ための金属製飲料用缶を含む。
【００１１】
この発明は、缶を製造する方法、この発明に従う缶端部を製造すること、缶本体を製造すること、および缶端部を缶本体に取付けることを含む方法の実施例をさらに含む。
【００１２】
この発明の実施例は、さらに、選択肢的に炭酸飲料のための再閉金属製飲料用缶を用いる方法を含み、前記缶は缶本体および缶端部を含み、前記方法は、
−前記缶端部のプルタブを動かし、前記缶端部の予め定められた溝に沿って前記缶端部のキャップトップを除去して、飲用または注ぎ用アパーチャを形成するステップと；
−前記缶端部の弾性復元要素の一部であるかまたは弾性復元要素に接続され、飲用後または注いだ後に、前記弾性復元要素の作用によって、前記飲用または注ぎ用アパーチャを閉じて封止するように構成される遮断弁を、前記プルタブを動かすことによって、弾性的に開くステップを含み；前記除去されたキャップトップは、前記遮断弁の上に位置するままである。
【００１３】
この方法は、前記弾性復元要素によって、前記遮断弁を開いた位置において保持するステップをさらに含んでもよい。
【００１４】
好ましい実施例においては、容器または缶は缶端部を含み、缶端部は、キャップトップを含み、キャップトップは、飲用アパーチャを形成するよう、予め規定された溝または他の形態の機械的に弱い部分に沿ってキャップトップを除去するように構成されるプルタブに接続状態で配される。缶端部は、好ましくは、弾性的に動作する、たとえばばねで動作する遮断弁を含み、遮断弁は、飲んでいる間は、飲用のアパーチャを開けるように構成され、缶が使用されていないときは、飲用の開口部を封止するように構成される。封止は、液体および／または気体密閉封止であってもよい。キャップトップは、好ましくは、除去の後、遮断弁の上に位置するままであるように構成される。好ましくは、缶端部は、キャップトップを移動させると遮断弁を開いた位置において保持するための保持手段を有する、缶端部に取付けられた弾性復元要素を含む。
【００１５】
キャップトップを移動して、それを開いた位置において保持できるようにすることは、異なる態様において行なわれてもよい。キャップトップは、プルタブを移動させることによって移動させてもよい。一実施例においては、キャップトップはその上側表面において隆起した口唇接触部分を含み、キャップトップは、次いで、前記隆起した口唇接触部分を移動させることによって移動されてもよい。キャップトップはユーザの指によって移動されてもよい。
【００１６】
１つの好ましい実施例においては、遮断弁は、キャップトップとの相互作用によって選択肢的に作動可能であり、たとえば第１の圧力をかけられると缶の内部からガス圧力を解放するように構成される逃がし弁を含む。
【００１７】
この発明に従う容器または缶の好ましい実施例は、大量生産に対して好適である。
この発明のいくつかの実施例の１つの利点は、炭酸飲料に対して用いられたとき、缶において内部圧力を軽減することための手段が設けられてもよい、ということである。炭酸飲料用缶では、圧力がガスのために缶に蓄積される。この発明のいくつかの実施例においては、缶が第２のまたは後の時間の間開けられているとき、内部圧力は再度開ける前に軽減されており、大きな力を打ち消す必要がないので、缶は容易に再度開けることが可能である。
【００１８】
この発明に従ういくつかの実施例の別の利点は、安全圧力除去装置である。既に開けられた、炭酸飲料を含んでいる缶が、再閉されると、圧力が缶端部の下に蓄積する。飲用開口部が既に形成されているので、缶端部の強度は有意に減少し、缶端部は、蓄積された圧力の下、徐々に変形するかもしれない。そのような変形は、缶端部を外方向に膨張させる。特に、高温においては（たとえば、缶が自動車内で太陽のあたるところにあるとき）、この影響は重要であるかもしれず、缶の破裂の危険性があるかもしれない。この発明のいくつかの実施例においては、安全圧力除去装置は、圧力があまりにも高くなる前に、圧力を減少させ、炭酸飲料を含んでいる缶が破裂せず、爆発しないことを保証する。
【００１９】
この発明に従う缶のいくつかの実施例のさらに別の利点は、それらがこぼれを防止するということであり：それらは、ひっくり返されるかまたは落とされると、自動的に閉じられる。
【００２０】
さらに、この発明に従う缶のいくつかの実施例は、缶のサイズおよび種類に依存して、容易に、異なる態様で再閉されてもよい。いくつかの種類の缶は、缶の側壁をそっと押すことによって閉じられてもよい。さまざまな種類の缶は、缶をそっと軽く叩くことによって、たとえば、缶をテーブルの上に小さな衝撃とともに置くことによって閉じられてもよい。
【００２１】
この発明に従う容器または缶の別の重要な利点は、それを容易に製造することが可能であるということである。従来の缶と比較して、缶端部のみが異なる。したがって、たとえば、従来の缶端部に対する製造ステップをこの発明に従う缶端部に対する製造ステップによって置換することによって；たとえば生産ラインのためのツール化の適合によって、従来の缶の生産ラインを、容器または缶を製造するように修正することが可能である。缶本体のための、ならびに缶端部を缶本体に取付けるための製造ステップおよびツール化は、変わらないままであり得る。さらに、この発明に従う缶端部は、ほんの少数の部品しか必要としない。この発明に従ういくつかの実施例においては、弾性復元要素は、缶端部が、各々弾性復元要素を含み、積み重ね可能なように、寸法および特性を有する。缶端部は、したがって、他方の上に積重ねられた缶端部であってもよく、缶端部の積層は、ちょうど従来の缶の積重ねられた缶端部がそうであるように、空間をほんのわずかしか必要としない。
【００２２】
特に飲料、特に炭酸飲料に対して用いられたときの容器または缶が以下に記載される。しかしながら、この記載から、缶は、インスタントスープ、インスタントコーヒー、オイル、蜂蜜、ソース、ミルクまたはヨーグルトのような乳製品など、他の食物製品に対して用いられてもよいことが明らかとなる。
この発明は、添付の図面を参照して例示的にのみ記載される。
【図面の簡単な説明】
【００２３】
【図１ａ】頂部から見られた、缶端部および缶の頂部部分の実施例の３Ｄ図を示す。
【図１ｂ】底部から見られた、缶端部および缶の頂部部分の実施例の３Ｄ図を示す。
【図２ａ】弾性復元要素の実施例の図を示す。
【図２ｂ】弾性復元要素の実施例の図を示す。
【図３ａ】図３ｂの線Ａ−Ａに沿った断面図を示す。
【図３ｂ】最初に開けられる前の、缶端部および缶の頂部部分の実施例の上面図を示す。
【図４】前側半分が破断された缶端部および缶の頂部部分の実施例の図であり、缶が最初に開けられるのを示す。
【図５】前側半分が破断された缶端部および缶の頂部部分の実施例の図であり、缶が最初に開けられるのを示す。
【図６ａ】前側半分が破断された缶端部および缶の頂部部分の実施例の図であり、飲む準備ができている缶を示す。
【図６ｂ】前側半分が破断された缶端部および缶の頂部部分の実施例の図であり、飲む準備ができている缶を示す。
【図７】前側半分が破断された缶端部および缶の頂部部分の実施例の図であり、缶の再閉を示す。
【図８】前側半分が破断された缶端部および缶の頂部部分の実施例の図であり、缶の再閉を示す。
【図９ａ】前側半分が破断された缶端部および缶の頂部部分の実施例の図であり、再閉された缶を示す。
【図９ｂ】前側半分が破断された缶端部および缶の頂部部分の実施例の図であり、再閉された缶を示す。
【図１０ａ】前側半分が破断された缶端部および缶の頂部部分の実施例の図であり、圧力除去を含んで、缶を再度開けるのを示す。
【図１０ｂ】前側半分が破断された缶端部および缶の頂部部分の実施例の図であり、圧力除去を含んで、缶を再度開けるのを示す。
【図１１】前側半分が破断された缶端部および缶の頂部部分の別の実施例を示す。
【図１２ａ】図１２ｂの線Ｂ−Ｂに沿った断面図を示す。
【図１２ｂ】最初に開けられる前の、別の種類の缶端部および缶の頂部部分の実施例の上面図を示す。
【図１３ａ】図１３ｂの線Ｃ−Ｃに沿った断面図を示す。
【図１３ｂ】最初に開けられる前の、図１２ａおよび図１２ｂに示される種類の缶端部および缶の頂部部分の別の実施例の上面図を示す。
【図１４ａ】図１３ａおよび図１３ｂの実施例について、頂部から見られた、缶端部および缶の頂部部分の３Ｄ図を示す。
【図１４ｂ】図１３ａおよび図１３ｂの実施例について、底部から見られた、缶端部および缶の頂部部分の３Ｄ図を示す。
【図１５ａ】図１５ｂの線Ｆ−Ｆに沿った断面図を示す。
【図１５ｂ】最初に開けられる前の、隆起した口唇接触部分を有する缶端部および缶の頂部部分の実施例の上面図を示す。
【図１６ａ】図１６ｂの線Ｅ−Ｅに沿った断面図を示す。
【図１６ｂ】最初に開けられる前の、隆起した口唇接触部分を有する缶端部および缶の頂部部分の別の実施例の上面図を示す。
【図１７ａ】前側半分が破断された缶端部および缶の頂部部分の実施例を示す。
【図１７ｂ】前側半分が破断された缶端部および缶の頂部部分の実施例を示す。
【図１８】弾性復元要素の実施例の底部側の３Ｄ図を示す。
【図１９ａ】弾性復元要素、キャップトップおよびプルタブの実施例を示す。
【図１９ｂ】弾性復元要素、キャップトップおよびプルタブの実施例を示す。
【図２０】プルタブが部分的に破断された、缶端部および缶の頂部部分の実施例を示す。
【図２１】非対称の弾性結合手段を有する、弾性復元要素の実施例を示す。
【図２２】強化された部分をともなう、弾性復元要素の実施例を示す。
【図２３】切込みをともなう遮断弁を含む、弾性復元要素の実施例を示す。
【図２４ａ】制動手段を含む、弾性復元要素の実施例を示す。
【図２４ｂ】制動手段を含む、弾性復元要素の実施例を示す。
【図２５ａ】さらなるロッキング特徴を有する缶の実施例を示す。
【図２５ｂ】さらなるロッキング特徴を有する缶の実施例を示す。
【図２６】互いの上に積重ねられた、一実施例に従う多くの缶端部を示す。
【図２７】図２６に示されるような積み重ね可能な缶端部に用いられるのに好適な、弾性復元要素の実施例を示す。
【図２８ａ】図２７の弾性復元要素の上面図を、折り畳み状態で示す。
【図２８ｂ】図２７の弾性復元要素の下面図を、折り畳み状態で示す。
【図２９】中間要素の実施例を示す。
【図３０】缶端部において取付けられた、図２９の中間要素を示す。
【図３１】図２９の中間要素に組付けられている、図２８ａにおいて示される弾性復元要素を示す。
【図３２】缶端部において取付けられた、図３１によって例示された弾性復元要素および中間要素のアセンブリを示す。
【図３３ａ】頂部から見られた、缶端部の別の実施例の３Ｄ図を示す。
【図３３ｂ】底部から見られた、缶端部の別の実施例の３Ｄ図を示す。
【図３４ａ】図３３ａおよび図３３ｂの実施例において用いられる弾性復元要素の実施例を示す。
【図３４ｂ】図３３ａおよび図３３ｂの実施例において用いられる弾性復元要素の実施例を示す。
【図３５ａ】図３４ａおよび図３４ｂの弾性復元要素を含むアセンブリの実施例を示す。
【図３５ｂ】図３４ａおよび図３４ｂの弾性復元要素を含むアセンブリの実施例を示す。
【図３６ａ】缶端部の実施例の断面図を示す。
【図３６ｂ】缶端部の実施例の断面図を示す。
【図３７】缶端部の実施例の積層を示す。
【図３８】缶端部の実施例の積層を示す。
【図３９】中間要素の実施例を示す。
【図４０】図３９の中間要素を含むアセンブリの分解図を示す。
【発明を実施するための形態】
【００２４】
発明の好ましい実施例の詳細な説明
この発明を、特定の実施例に関して、ある図面を参照して記載するが、この発明はそれに限定されず、請求項によってのみ限定される。記載された図面は概略的であり、限定的ではない。図面においては、例示の目的のため、要素のいくつかのサイズは誇張されるかもしれないし、サイズどおりに描かれないかもしれない。寸法および相対的な寸法はこの発明の実際の具体化には対応しない。
【００２５】
さらに、記載および請求項における「第１の」、「第２の」、「第３の」などのような用語は、同様の要素の区別のために用いられるものであり、必ずしも連続する順序または時系列を記載するためのものではない。そのように用いられる用語は適切な状況下で交換可能であること、およびここに記載されたこの発明の実施例はここに記載または例示されたもの以外のシーケンスで動作可能であることが理解されるべきである。
【００２６】
さらに、記載および請求項における「頂部」、「底部」、「〜の上に」、「〜の下に」などの用語は、記述的な目的に対して用いられるものであり、必ずしも相対的位置を記載するためのものではない。そのように用いられる用語は適切な状況下で交換可能であること、およびここに記載されたこの発明の実施例はここに記載または例示されたもの以外の向きにおいて動作可能であることが理解されるべきである。
【００２７】
請求項において用いられる用語「含む」は、以下においてリスト化された手段に制限されるよう解釈されるべきでないことに注意されたく；それは他の要素またはステップを排除しない。それは、したがって、言及されるような述べられた特徴、完全体、ステップまたは構成要素の存在を指定すると解釈されるが、１つ以上の他の特徴、完全体、ステップもしくは構成要素またはそれらの群の存在または追加を排除しない。したがって、「手段ＡおよびＢを含む装置」の表現の範囲は、構成要素ＡおよびＢからのみなる装置に限定されるべきでない。それは、この発明に関して、装置の唯一の関連する構成要素がＡおよびＢであることを意味する。
【００２８】
図１ａは、この発明の実施例に従う容器または缶、たとえば再封止可能な飲料用缶の頂部部分の３Ｄ図を示す。缶は、缶本体１、および本体に取付けられた缶端部２を含む。缶本体は、典型的には鋼またはアルミニウムから製造される標準缶本体であってもよい。缶端部は、しばしば、アルミニウムで製造される。これらの材料のいずれも、この発明に対する限定を表さず、たとえば、この発明に従う缶端部２は、鋼から形成されてもよい。鋼が、缶本体１、缶端部２、または両方に対して用いられる場合、それは慣習的にコーティングされる。この発明は飲料用缶のような異なる標準的な容器および異なるサイズならびにいわゆる「スリム」缶および「スーパーサイズ」缶に適用されてもよい。図１ａは、いわゆる小さな飲用開口部をともなう「スリムサイズ」缶を示す。大きな飲用開口部をともなう標準缶は、さらに以下に示され論じられる。飲用または注ぎ用開口部などのような他の設計の開口部が同様に用いられてもよい。実施例においては、缶端部２の縁部、特に、食物製品を充填された後、それが缶本体１上に組付けられなければならない態様は、標準的である。
【００２９】
図１ａおよび図１ｂにおいて示される実施例においては、缶端部２の中央部は、この文献においてはキャップトップと呼ばれる引裂きパネル３を有し、それは標準的な飲料用缶端部のプルオフ部分に非常に類似する。公知の従来の飲料用缶におけるように、キャップトップ３は、レバーとして働くプルタブ４を引っ張ることによって、予め形成された浅い溝９または他の形態の機械的に弱い部分に沿って裂くことが可能である。このようにして形成された開口部は、従来の飲料用缶におけるように、注ぎ用または飲用の開口部として働く。しかしながら、従来の飲料用缶においては、キャップトップは缶に取付けられたままであり、一方、この発明に従って開示された実施例においては、キャップトップ３が溝９に沿って缶端部から完全に裂かれる。キャップトップ３を引き剥がした後、キャップトップ３は、（図１ｂに示される）遮断弁６に取付けられたままであり、それは、飲んだ後、さらに以下に詳細に記載される弾性復元要素１０の作用によって、注ぎ用または飲用の開口部を再封止するよう構成される。示された実施例においては、初めて開けられる前、缶は従来の缶と同じ態様で閉じられている。従来の缶の場合のように、それは金属を通る破断をなすことによって開けられ、それは従来の缶と同様に漏れが防止される。他の多くの既存の再封止可能な缶が、他の開口部機構、たとえば回転による開口に依存し、それらは多くの場合全く漏れが防止されない。
【００３０】
実施例においては、遮断弁６は板状の要素であり、それは、たとえば、弾性復元要素１０の一部であるばね手段５のような弾性部材によってかけられる弾性力、たとえばばね力によって、およびさらに、恐らくは、缶が炭酸飲料を充填されるときに蓄積される内部圧力に起因する任意の力によって、缶端部２の下側に対して弾性的に付勢され、たとえばばね付勢される。遮断弁は丸くてもよく、それは楕円形でもよく、別の形状をであってもよい。遮断弁６は、逃がし弁を設けられてもよい。この逃がし弁の、異なる実施例がさらに以下に開示される。
【００３１】
図１ａおよび図１ｂにおいて示される実施例においては、消費者は、上に説明されるように、プルタブ４を動かすことによってキャップトップ３を引き裂いて開けることによって、缶から飲むかまたは注ぐことが可能であり；プルタブ４をさらに移動させると、消費者が飲むかまたは注ぐことが可能であるように、遮断弁６は開いた位置において保持される。これは、図４〜図６を参照して、詳細にさらに以下に説明され；図４および図５は缶を最初に開けるのを示し、一方、図６ａおよび図６ｂは飲む準備ができている缶を示す。図６ａは、缶の実施例の側面図を示し、一方、図６ｂは、図６ａにおいて示された領域の詳細を示している。図６ａにおいて、キャップトップ３、およびしたがってキャップトップ下の遮断弁６は、プルタブ４を動かすことによって、弾性復元要素１０の力に抗して、下方に押された。図６ａにおいては、矢印６４によって示されるように、プルタブ４は、ここで、その元の位置に戻されている。遮断弁６は、弾性復元要素１０の保持手段３２によって、開いた位置に保持され；図６ａおよび図６ｂの実施例においては、この保持手段３２は、遮断弁６の、わずかに下方へ曲がっているフック３１と係合し、したがって弁を保持するスリット３２である。
【００３２】
図１ａおよび図１ｂの実施例においては、弾性復元要素１０はばね手段５を含む。弾性復元要素１０のこの実施例は、図２ａおよび図２ｂにおいて詳細に示され、それらは、それぞれ、弾性復元要素１０の下面図および上面図を示し、要素１０は、缶の頂部部分の断面図である図３ａにおいてさらに示される。この実施例においては、弾性復元要素１０はばね手段５を含み、遮断弁６は弾性復元要素１０の一部である。この発明の他の実施例においては、遮断弁６は弾性復元要素に接続された別の要素であってもよい。弾性復元要素、および弾性復元要素の一部でない場合の遮断弁は、たとえば、スタンピングおよびひずみのために十分な機械的性質と組み合わされて、かなり十分な弾性を有するＨＳＳ（高強度鋼材）から形成されてもよい。いくつかの実施例においては、弾性復元要素は複数個の部品を含んでもよい。図１〜図３の実施例においては、弾性復元要素１０は単一の部品であり、特別に設計された板要素である。ここで弾性復元要素１０をさらに図２ａ、図２ｂおよび図３を参照して論じる。弾性復元要素１０は遮断弁６およびばね手段５を含み；遮断弁６は、ばね手段５に、弾性結合手段によって取付けられており、それは、図２ａおよび図２ｂにおいて示される実施例においては、幅の狭い弾性帯状体１３である。缶に取付けられる前に、曲げ返された部分５’が得られるように、弾性復元要素１０の一部は後ろに曲げられている。この曲げ返された部分５’は、湾曲部分５”および端部５’’’を含んでもよい。曲げ返された部分５’の端部５’’’は、遮断弁６（図３ａ）の下側に対して付勢される。帯状体１３および曲げ返された部分５’を含むばね手段５は、缶端部２（図１ｂ）の下側に対して遮断弁６を付勢する。図３ａを再び参照して、弾性復元要素１０のいくつかの実施例は、さらに、端部５’’’の延在された部分１４および／または突起３３を含んでもよく；両方が図３ａの実施例において示される。延在された部分１４は幅の狭い帯状体であってもよく、缶端部２のリム３０の下に位置決めされ、安全圧力除去装置として作用する。突起３３は、いくつかの実施例において、缶を再閉するために用いられる。突起３３および安全圧力除去装置の両方は、弾性復元要素１０の他の部分と同様に、より詳細にさらに以下に論じられる。弾性復元要素１０は、たとえば鋼のような金属のような、十分な弾性特性を有する種類の材料から形成されてもよい。弾性復元要素１０は、リベット１２（図３ａおよび図３ｂ）のような固定する装置を介して、それが缶端部２に取付けられてもよい（図２ｂに示される）開口部１１を有してもよい。図３ａにおいては、プルタブ４は別のリベット５２によって缶端部２に取付けられている。
【００３３】
この発明に従う缶を開き、再閉し、再度開く実施例は、図４〜図１０に例示され、それらは、前側半分が破断された缶の側面図を示す。
【００３４】
図４は、初めて開けられる、この発明に従う缶の実施例を示す。ユーザが矢印６１の方向にプルタブ４を動かし、プルタブは、あらかじめ形成された溝９に沿ってキャップトップ３を引き剥がすことによって、キャップトップ３を缶端部２から除去する。キャップトップ３は、遮断弁６の上で、プルタブ４の作用によって、下方に、弾性復元要素１０によって遮断弁６上にかけられた力に抗して押される。
【００３５】
図５においては、プルタブ４は、矢印６２の方向にさらに一層移動される。この作用によって、図５に矢印６３によって示されるように、弾性復元要素１０の曲げ返された部分５’の湾曲部分５”（図４および図５を参照）は引伸ばされる。この引伸ばしは、弾性要素１０の外形、一般には形状、および弾力特性によって引起される。この引伸ばしは重要であり、なぜならば、突起３３は、したがって、図７および図８に関連して論じられるように、缶を再閉するために用いられる缶の側壁３５に、より近くもたらされるからである。したがって、好ましい実施例においては、曲げ返された部分５’は、缶が開けられると、突起３３が缶の側壁３５に、より近く移動されるような形状を有する。
【００３６】
次のステップが図６ａおよび図６ｂに示される。プルタブ４は、ここで、矢印６４の方向に動かされて、その元の位置に戻る。遮断弁６、およびその上のキャップトップ３は、図６ａにおいて示される領域の詳細である図６ｂにおいて最もよく示されるように、開いた位置において保持される。缶は、ここで、飲用または注ぐための位置にある。遮断弁６は開いた位置において保持手段３２によって保持されるが、それは、図６ａおよび図６ｂの実施例においては、遮断弁６の、わずかに下方へ曲がっているフック３１と係合するスリット３２（図１ｂにおいても示される）である。もちろん、他の保持手段を用いることも可能である。別の実施例においては、弾性復元要素の係合手段は、遮断弁の係合手段と係合するフックである。
【００３７】
缶を再閉する実施例は、図７および図８に示される。図７の実施例においては、ユーザは、プルタブ４と反対の位置で缶の側壁３５をそっと押す。缶の側壁は薄く、ユーザは、したがって、側壁３５を通して、弾性復元要素１０の曲げ返された部分の端部の突起３３上に力をかける。突起３３は、ここで、矢印６５の方向に移動し、図８に示されるように、フック３１およびスリット３２は係合を解除する。弾性復元要素１０によってかけられる力のために、遮断弁６は、ここで、矢印６６の方向に移動して飲用のアパーチャを閉じる。
【００３８】
図９ａ、および図９ａにおいて示された領域の詳細な図である図９ｂは、再閉された缶の実施例を示す。遮断弁６はここで飲用のアパーチャを閉じており、それは遮断弁６の封止１９によってしっかりと封止される。遮断弁６はその周囲全体にそのような封止１９を有し、そのため、飲用のアパーチャはしっかりと閉じられる（たとえば、図８では、この封止の半分のみ、および遮断弁の半分が示され、―前側半分は、この図においては破断されており；図１７ａにおいては、完全な封止が示される）。封止１９は、たとえばシリコーンまたは他の好適な材料から形成されてもよい。図９ｂに示される実施例においては、キャップトップ３は、ここで、缶端部２の面の下、わずかな距離、たとえば１０分の数ｍｍの距離である。利点は、缶を開けるとキャップトップを引き裂いて取り除くためにキャップトップ３の境界上に生じるかもしれないバリが、缶端部２に接触しないということである。したがって、これらのバリは飲用のアパーチャと絡まらず、缶を再度開けることを妨げない。図９ａおよび図９ｂの実施例においては、キャップトップ３が遮断弁６に固定される態様のため、缶が開けられた後、キャップトップ３は遮断弁６に向かってわずかに移動してもよい。この実施例においては、２つのステープル３６が用いられる（１つのステープル３６のみが図９ａおよび図９ｂにおいて示される）。各ステープル３６はキャップトップ３においてシボ３８にクランプされ、穴２１を介して遮断弁６を貫通し、厚くなった部分、いわゆるキノコ形状３７に終る。（ステープル手段３６のための２つのシボ３８が図３ｂに示される）。缶が初めて開けられるとき、ステープル手段３６は下方に押され、封止１９の厚みは十分に大きいので、缶が再閉されるとき、キャップトップ３は、上に論じられるように、缶端部２の面下においてわずかな距離である。さらに、キャップトップ３は、遮断弁６の上に位置したままであるが、依然として少し上方または下方に移動することが可能であるように、ステープル３６は十分に長い。もちろん、キャップトップ３は他の態様で遮断弁６に固定されてもよい。
【００３９】
図１０ａ、および図１０ａにおいて示された領域を詳細に示す図１０ｂは、缶を再度開けることを示し、缶は、圧抜き弁８の実施例を含む。缶を開けるために、ユーザはプルタブ４を矢印６７の方向に動かす。これにより、まず、キャップトップ３は下方に押される。キャップトップ３は、下方を指す膨張部分２５を含む。遮断弁６は、膨張２５の前に位置決めされる穴２６を有する。穴２６は膨張２５を受けるためにクレーター状の断面図を有してもよい。弾性復元要素１０の曲げ返された部分５’はその端部の近くに部分５’’’を設けられ、それは、遮断弁６と実質的に平行で、封止要素２７を設けられ、それは、缶が消費者によって用いられていないとき、効果的に開口部２６を閉じ、なぜならば部分５’’’が次いで遮断弁６の下側に対して付勢されるからである。矢印６７の方向にプルタブ４を動かすと、キャップトップ３は下方に押され、膨張２５は穴２６を通って封止要素２７を押す。したがって、遮断弁６それ自体が開く前に、部分５’’’は、矢印６８の方向に、遮断弁６から離れるように押される。この作用は、プルタブ４が矢印６７の方向にさらに移動されるとき、開口部２６を介して缶の内部から圧力を解放し、その後遮断弁６それ自体を開けることを容易にする。したがって、開口部２６は、膨張部分２５および封止２７とともに、圧抜き弁８として作用する。
【００４０】
好ましくは、この発明に従う缶は、安全圧力除去手段をさらに含む。一実施例が図３ａに示される。缶のこの断面図は、弾性復元要素１０の端部５’’’の延在された部分１４が缶端部２のリム３０の下を延在することを示す。ここで説明されるように、延在された部分１４は、圧抜き弁８とともに、安全圧力除去手段として作用する。既に開けられた、炭酸飲料を含んでいる缶が、遮断弁６によって再封止されると、既に上で論じられたように、圧力は缶端部の下に蓄積する。飲用開口部が形成されているので、缶端部の強度は有意に減少しており、缶端部は、蓄積された圧力の下、徐々に変形するかもしれない。そのような変形は、缶端部を外方向に膨張させる。特に、高温においては、この影響は重要になるかもしれず、缶の破裂の危険性があるかもしれない。しかしながら、缶端部がある程度変形すると、延在された部分１４は缶端部のリム３０と接触する（図３ａを参照）。変形が継続すると、延在された部分１４は下方に押され、最終的に、封止２７を開口部２６から取除き、それにより、圧抜き弁８を開く。かくして、ガスが解放され、缶の内側の圧力は減少し、そのため、変形も同様に減少する。したがって、延在された部分１４は、逃がし弁８とともに、安全圧力除去手段を設け：非常に高い圧力でさえ、炭酸飲料を含んでいる缶は破裂せず、爆発しない。
【００４１】
図１１は、弾性復元要素１０の曲げ返された部分の端部の突起３３のない缶および缶端部の実施例を表す（図１１を図７と比較）。図１１の缶の実施例は、図７に示される実施例と同じ、遮断弁６の係合手段３１および弾性復元要素１０の係合手段３２を有する。図１１の缶の実施例は缶の側壁をそっと押すことによって再閉することが可能ではない。代わりに、そのような缶は、缶をそっと軽く叩くことによって、たとえば、缶をテーブルの上に小さな衝撃とともに置くことによって閉じられる。そのようにそっと軽く叩くことによって、遮断弁および弾性復元要素の係合手段（たとえばフックおよびスリット）は係合を解除し、遮断弁は、弾性復元要素によってその上にかけられる力によって閉じられる。ユーザは、さらに、たとえば、一方の手で缶を保持し、他方の手の指で缶をそっと軽く叩くことが可能である。さらに、ユーザは、キャップトップ３をその開いた位置で、たとえば親指でそっと押すことが可能である。これらの作用のどれでも缶を閉じる。この実施例の別の利点は、缶は、落とされるかまたは傾けられると、自動的に再閉するということであり；したがって、缶が偶然に落ち得る場合でも、缶の内容物はこぼれない。
【００４２】
図１１は、さらに、２つのヒンジ点の位置の実施例：弾性復元要素１０の曲げ返された部分５’が回転するヒンジ点４５、およびおよび遮断弁６が回転するヒンジ点１２（たとえば弾性復元要素を固定するリベット）を示す。これらのヒンジ点４５および１２の相対的な位置決めのため、缶が矢印６９の方向にプルタブ４を動かすことによって開けられると、遮断弁６の終点４６は、弾性復元要素１０の曲げ返された部分５’の端部の近くの点４７より小さな径で円上を移動する。したがって弾性復元要素１０の係合手段３２は初めは遮断弁の係合手段３１よりヒンジ点１２および４５に近くあるが、缶を開けることによって、両方の係合手段は互いに、より近くなり、係合する。さらに、図５に示される実施例においては、缶を開けると、弾性復元要素１０の曲げ返された部分が引伸ばされ（図５の矢印６３を参照）、それも、係合手段が互いにより近くなることに貢献する。
【００４３】
既に上に言及されたように、この発明は異なるタイプの缶：標準缶、スリムサイズ缶、スーパーサイズ缶などに適用することが可能である。図３ａおよび図３ｂはスリムサイズ缶を示し；そのような缶は、たとえば、Red BullＴＭ飲料に対して用いられる。コカコーラＴＭ飲料のために一般に用いられるような標準缶に対して、図１２ａおよび図１２ｂは図３ａおよび図３ｂと同じ図を示し、つまり図１２ｂにおいて最初に開ける前の缶の上面図、および図１２ａにおいて線Ｂ−Ｂに沿った断面図を示す。図１２ｂのキャップトップ３を図３におけるものと比較すると明らかなように、これらの標準缶は、より大きな飲用の開口部を有する。別の相違点は、缶端部のリム３０と缶の側壁３５との間の、より大きな距離である。この大きな距離のため、側壁３５を押すことによって缶を閉じるために、図１３ａおよび図１４ｂ（それらは、図１３ｂに示される上面図における線Ｃ−Ｃに沿った断面図、および底部からの缶端部および缶の頂部部分の３Ｄ図をそれぞれ表す）に示されるように、非常に長い突起３３が必要である。さらに以下に論じられるように、そのような長い突起３３をともなう弾性復元要素１０を有する缶端部２は、缶本体上に取付けるのが、より困難である。さらに、生産ラインにおいて、缶端部が、それらが缶本体上に取付けられるステーションに、たとえばベルトで運ばれるとき、長い突起が絡まり、したがって、搬送上の問題を引起すかもしれない。したがって、図１３ａ、図１３ｂ、図１４ａおよび図１４ｂに示されるように、突起をともなう実施例の代わりに、図１２ａおよび図１２ｂに示されるように、突起のない実施例を用いることが好ましいかもしれない。そのような缶は、側壁を押すことによっては閉じられないが、それは、たとえば、上に論じられるように、軽く叩くことによって、閉じられる。
【００４４】
この発明に従う缶を再度開けるために、既に上に言及されたように、ユーザはキャップトップを異なる態様で移動してもよい。既に上に論じられたように、キャップトップは、プルタブ４を移動させることによって移動されてもよい。図１５および図１６は、缶端部の別の実施例を示し、キャップトップ３はその上側表面に隆起した口唇接触部分７を含む。隆起した口唇接触部分７を口唇と接触させることによって、消費者はキャップトップを押下げて開口部を形成し、缶から飲むことができる。そのような口唇接触部分の機能は、この特許出願と同じ出願人によって提出され、ここに引用により援用される、特許出願ＰＣＴ／ＥＰ２０１１／０５２０７８において詳細に論じられ説明される。図１６ａおよび図１６ｂは、隆起した口唇接触部分７を有し、弾性復元要素１０の曲げ返された部分の端部の突起３３を含む缶の実施例を示す。図１５ａおよび図１５ｂは、隆起した口唇接触部分７を有し、突起３３を有さない、別の実施例の缶を示す。口唇接触部分７は、上に説明されるように、遮断弁６が保持手段３２によって保持されるように、キャップトップ３を十分に遠くに押下げるように用いられてもよい。さらに、それはキャップトップ３をそれほど遠くに押下げないように用いられてもよく、そのため、口唇接触部分７上にかけられる圧力が奪われるとき、弾性復元要素１０の力によって、遮断弁６は閉じる。別の実施例においては、缶端部は、隆起した口唇接触部分７を含むが、保持手段３２を含まず、そのため、消費者が口唇接触部分７を押下げることをやめると、遮断弁６は自動的に閉じられ、これは口唇接触部分が押下げられた深さに関係がない。
【００４５】
突起３３を有する弾性復元要素１０を含む缶端部２の実施例を缶本体１上に取付けることが、ここで、図１７ａおよび図１７ｂを参照して論じられ、図１７ｂは、図１７ａに示された領域の詳細を示す。缶端部２および缶本体１の頂部部分の半分のみが示され；前側半分は破断される。突起３３が缶端部２の輪郭よりさらに外に突出す場合、缶端部２は、缶端部２が缶本体１に取付けられる前に、缶端部２を缶本体１上に取付けるように、わずかに傾けられて保持されてもよい。さらに、図１７ａおよび図１７ｂに示されるような実施例によって、缶端部を取付けの間において水平に保持するか、またはより小さな傾斜角でそれを保持することも可能である。この実施例では、単一のステープル３９が、図９ａおよび図９ｂを参照して上に論じられた２つのステープル３６の代わりに用いられる。この単一のステープル３９は、キャップトップ３を缶端部２に取付け（それは２つのステープル３６の機能でもある）、さらに、それは、弾性復元要素１０の底部側の３Ｄ図である図１８にも示されるように、弾性復元要素１０の曲げ返された部分５’の下で、閉じられた接続を形成する。図１９ａは、ステープル３９の３Ｄ図を示し、図１９ｂは、図１９ｂに示された領域の詳細を示す。図１８に示される実施例では、曲げ返された部分５’は、ここでは、ステープル３９と相互に作用することが可能である２つの隆起した唇状部４０を含む。缶端部２を缶本体１上に取付ける前に、曲げ返された部分５’は、ここで、図１７ａおよび図１８において矢印７０の方向に移動されることが可能である。次いで、図１７ａにおいて矢印７１によって示されるように、曲げ返された部分５’は変形するが、さらに重要なのは、図１８および図１７ｂに示されるように、隆起した唇状部４０はステープル３９の後ろでひっかかる。図１７ａにおいて点線５０によって示されるように、突起３３は、ここでは、もはや、缶端部２の輪郭より突出しない（か、または、ある場合には、ほんのわずかにのみ、そして以前よりはるかに少なくしか突出しない）。缶端部２は、ここで、本体１に、はるかにより容易に取付けることが可能である。缶が初めて開けられるとき、ステープル３９は、上に論じられるようなステープル３６と同様に、下方に押され、ここでも、ステープル３９は、キャップトップ３が依然としてわずかに下方または上方に移動できるように、（キャップトップ３におおよそ垂直な方向に）十分に長い。さらに、ステープル３９は十分に長いので、それが、缶が初めて開けられるときに下方に押されると、隆起した唇状部３９はステープル４０を（矢印７０の方向と反対の方向に）通過し、弾性復元要素は、ここで、先に説明されるように機能することができ；図１７ａにおける弾性復元要素１０の位置は、取付の目的向けのみである。もちろん、ステープル３９の代わりに、技術分野において公知のような他のステープル手段が用いられてもよい。
【００４６】
初めて缶を開けるとき、上に論じられるように、キャップトップ３は完全に裂かれる。好ましい実施例では、キャップトップを裂くことは非対称に行われる。これを、ここで、図２０および図２１を参照して論じ、図２０は、缶端部２および缶の頂部部分の実施例を示し、プルタブ４は部分的に破断されている。キャップトップを非対称に裂くことは、プルタブ４の対称軸に関して完全な対称の場合、この対称軸のまわりのゾーン５１（図２０）である、裂かれるキャップトップの最後の部分の除去が困難であることを回避する。キャップトップを非対称に裂くことは、異なる態様でなされ得る。一実施例では、図２０に示されるような非対称に位置するシボ５４が、キャップトップ３に設けられる。単一のシボ５４のみがある（プルタブ４の非破断部が示されるキャップトップ３の側には、シボはない。）この非対称的に位置されたシボ５４のため、缶を初めて開けるとき、プルタブ４は、ゾーン５１の左に位置するキャップトップ３の側、およびゾーン５１の右に位置するキャップトップ３の側上に異なる力をかけ、それはキャップトップを非対称に裂く。別の実施例では、弾性復元要素１０は非対称である。図２１はそのような実施例を示す。この図面における弾性復元要素１０は依然として平坦であり、つまり、ばね手段５の部分５’はまだ後ろには曲げられない。示された実施例では、遮断弁６は、非対称の弾力特性を有する弾性結合手段１３および１３’によってばね手段５に結合される。図２１の実施例では、両方の結合手段１３および１３’は幅の狭い弾性帯状体であるが、帯状体１３’は帯状体１３より長く、取付けゾーンが円形の遮断弁６の中央を通る径上にあるように、遮断弁６に取付けられる。非対称の弾力特性のため、キャップトップは、非対称に裂かれる。この実施例は、図２０に示される、非対称に位置されたシボと組み合わせてもよい。
【００４７】
弾性復元要素は板状の要素であってもよい。０．２５ｍｍ以下、好ましくは０．２０ｍｍ以下、より好ましくは０．１５ｍｍ以下の厚みを有する非常に薄い板を用いることは有利である。次いで、弾性復元要素は、重さがわずか１．５ｇから２ｇしかない。そのような小さな重量は缶の総重量をできるだけ低く維持するのに重要である。図２２に示される弾性復元要素の実施例では、ばね手段５の幅は好ましくは６〜８ｍｍであるが、他の寸法も可能である。ばね手段５のための十分な弾力特性を有するために、それは示された実施例においては強化された部分５３を有する（図２２では、強化膨張は「外方向」を指し、もちろん、それは、反対方向つまり「内方向」を指してもよい）。
【００４８】
図２３は、（ばね手段５の一部が後ろに曲げられている）弾性復元要素１０の別の実施例を示す。この実施例では、遮断弁６は、その周縁に複数個の切込み５６を有する（封止１９の一部のみが示され；残りは切込みを示すよう破断される）。これらの切込みの利点は、それらが遮断弁６を封止１９の位置でより柔軟にするということであり、封止１９が缶端部２にさらによく嵌まることになる。上に論じられるように、これらの切込みの代替物は、遮断弁６を十分に薄く形成することである。もちろん、薄い遮断弁も切込みを含んでもよい。
【００４９】
図２４ａおよび図２４ｂでは、（依然として平坦である）弾性復元要素１０の実施例は、それが制動手段５５、または減衰手段を有することを示される。遮断弁６が閉じられるとき、制動手段５５は弾性復元要素１０の部分５９に抗してつかえ、それにより、遮断弁６の閉鎖を遅くする。この減速は閉鎖中において缶の内容物のはねを回避することを助け；そうでなければ、内容物の種類ならびに缶端部の部品の形状および材料特性によって、はねが生じるかもしれないことは不可能ではない。
【００５０】
図２５ａおよび図２５ｂは、既に開けられており、依然としてその内容物の一部を含んでいる缶を運ぶのに有用である、さらなるロッキング特徴を有する缶の実施例を示す。図２５ｂは、缶端部および缶の頂部部分の上面図を示し、図２５ａは、図２５ｂにおける線Ｄ−Ｄに沿った断面図を示す。その通常の位置に関して、プルタブ４は矢印７２の方向に１８０度以上回転された。この実施例では、缶端部２は少なくとも１つの小さな溝５７を有し、プルタブ４は、この少なくとも１つの溝に嵌まる少なくとも１つの突起５８を有する。プルタブ４は、したがって、示される位置にロックされ、バッグ、たとえば女性用バッグにおいて、依然としてその内容物の一部を含んでいる缶を取去ることが可能であり、たとえば、そうでなければ缶の内容物をこぼすことがある、バッグにある他の物品との接触によって、缶が意図せずして開けられないことを保証する。
【００５１】
図２６は、この発明の一実施例に従う缶端部２の積層を示す。各缶端部２は弾性復元要素１０を含む。缶端部２における弾性復元要素１０は小さな総厚みを有し、それは好ましくは２ｍｍ未満、より好ましくは、１ｍｍ未満、さらにより好ましくは０．５ｍｍ未満であり、図２６に示されるように、缶端部は１つが別の１つの上に積重ねられ得る。図２６に示されるように、およびさらにたとえば、図３ａにおいて示されるように、弾性復元要素１０が缶端部２上に取付けられるとき、弾性復元要素１０の総厚みは、缶端部２のキャップトップ３（図３ａを参照）通る面に垂直な方向における、弾性復元要素の最大の寸法である。缶端部２の積層は好ましくは従来の缶端部の積重ねられた組と同じくらいの空間しか必要としない。
【００５２】
図２７は、図２６に示される缶端部２に用いられてもよい、この発明に従う弾性復元要素１０の実施例の上面図を示す。図２７においては、弾性復元要素はまだ折畳まれていない。好ましくは、および上に論じられた弾性復元要素の実施例と同様に、弾性復元要素１０は、上に論じられるように、遮断弁６を開いた位置において保持するための、図２７には示されない保持手段を含む。示された実施例においては、弾性復元要素は、たとえば鋼から形成された板ばね手段９５を含む。たとえば、ステンレスオーステナイト鋼１．４３１０  Ｃ１３００が、０．２ｍｍ、０．１５ｍｍ、０．１０ｍｍ、または０．０５ｍｍの厚みで用いられてもよい。（以下に論じられるように、折畳むための）十分な弾性特性および十分な可塑性を有する他の材料、ならびに他の厚みが、同様に用いられてもよい。
【００５３】
図２８ａおよび図２８ｂは、図２７の弾性復元要素１０の、折畳まれたときの頂部図および底部図を示す。一実施例では、厚みが０．１ｍｍである鋼１．４３１０  Ｃ１３００が用いられ、折畳まれた弾性復元要素は、材料の十分な可塑性のおかげで、わずか約０．２ｍｍの総厚みをしか有さない。
【００５４】
この発明のいくつかの実施例においては、図１０ａおよび図１０ｂを参照して上に論じられた圧抜き弁８が単純化されてもよい。たとえば、図２８ａおよび図２８ｂに関して論じられるような弾性復元要素が用いられる場合、いくつかの実施例においては、キャップトップ３の膨張部２５（図１０ａおよび図１０ｂを参照）は、非常に小さくてもよく、遮断弁６の穴２６は省略されてもよい。弾性復元要素６の総厚みが十分に小さい場合、たとえばおおよそ０．２ｍｍである場合、膨張部２５も省略されてもよい。弾性復元要素１０の小さな弾性力のおかげで、再度缶を開けるとき、下方に局所的に移動するキャップトップは缶において圧力を軽減する小さな開口部を形成する。
【００５５】
図２９は、この発明に従う実施例において用いられてもよいような中間要素８０の実施例を示す。中間要素８０は、弾性復元要素１０と缶端部２との間で位置決めされてもよいし、弾性復元要素を取付けるために用いられてもよい。図３０は、缶端部２に取付けられた中間要素８０の実施例を示す。中間要素は、たとえば接着剤によって取付けられてもよい。図３１は、中間要素８０に組付けられている弾性復元要素１０を示す。両方の要素は、中間要素８０の開口部８１および弾性復元要素１０の開口部９１通るリベット、ならびに中間要素８０の開口部８２および弾性復元要素１０の開口部９２通るリベットを用いることによって、互いに固定されてもよい。図３２は、缶端部２に取付けられた、弾性復元要素１０および中間要素８０のアセンブリの実施例を示す。中間要素に関しては、たとえば、十分な伸び特性を有するステンレス鋼が用いられてもよい。中間要素はたとえば０．０５ｍｍまたは０．１ｍｍの厚みを有してもよいが、他の厚みも同様に可能である。中間要素を用いることはいくつかの利点を持つだろう。弾性復元要素はリベットで中間要素に固定されてもよいが、それは接着剤によって缶端部に取付けられてもよく、そのため、缶端部を通るリベットは必要ではない。中間要素は缶端部を支持してもよく、それは、同様に、弾性復元要素を支持してもよい。さらに、中間要素を用いることはより多くの柔軟性を提供してもよい。
【００５６】
図３３〜図４０は、隆起した口唇接触部分を含み、さらに、互いの上に積重ねることが可能である、この発明に従う缶端部の他の実施例を例示する。既に上に論じられたように、これらの缶端部は、好ましくは、小さな総厚みを有する、弾性復元要素を含む。
【００５７】
図３３ａおよび図３３ｂは、隆起した口唇接触部分７を有するような缶端部２の実施例の、上面図および下面図をそれぞれ示す。図３３ａおよび図３３ｂは図１ａおよび図１ｂに類似するが、ここでは、隆起した口唇接触部分７をさらに示す。図３５ｂを参照してさらに以下に論じられるように、弾性復元要素１０の隆起した口唇接触部分７ａは、缶端部２の隆起した口唇接触部分７に嵌まり；以下に論じられるように、圧痕７ｃは部分７において部分７ａをクランプするために用いられる。
【００５８】
保持手段３２は、図１ａおよび図１ｂを参照して論じられたように、存在してもよく、または他の実施例においては、存在しなくてもよく；図３３〜図４０においては、保持手段３２は明示的には示されない。
【００５９】
図３３ｂに示される弾性復元要素１０は、たとえば、既に上で論じられたように、高温のために内部圧力が缶を変形するとき、延在された部分１４とリム３０との間に接触が生じる態様で、缶端部２のリム３０の下に延在する延在された部分１４を有し、次いで、上に論じられるように、延在された部分１４は安全圧力除去装置として作用する。
【００６０】
図３４ａおよび図３４ｂは、図３３ａおよび図３３ｂの実施例において用いられる、弾性復元要素１０の実施例を示す。図３４ａは、折畳まれる前の、弾性復元要素１０を示し；図３４ｂは、折り畳み線ＬＬに沿って折畳まれた後の、弾性復元要素１０を示す。
【００６１】
図３５ａは、図３４ａおよび図３４ｂの弾性復元要素１０を含むアセンブリの実施例の３Ｄ図を示し、一方、図３５ｂはこのアセンブリの側面図および断面図である。図３５ｂにおいてわかるように、弾性復元要素の隆起した口唇接触部分７ａは、缶端部の隆起した口唇接触部分７において嵌まる。部分７ａは圧痕７ｃによって部分７においてクランプされるが、許容差は両方の部分が或るあそびをもって嵌まるような状態であり、そのため、圧抜き弁８は十分に機能することができる。既に上に論じられたように、弾性復元要素の総厚みが十分に小さい場合、簡略版の圧抜き弁が用いられてもよい。
【００６２】
図３６ａは、今日ではCrown Holding Inc.であるCrownからのいわゆる「標準端部」缶端部２に対する、図３３〜図３５を参照して論じられる、この発明の実施例の側面図および断面図を示す。そのような「標準端部」は今日では慣習的に用いられる。図３６ｂは、新しい種類の缶端部である、Crown Holding Inc.からのSuperEnd TM缶端部２に対するこの発明の実施例の側面図および断面図を示す。
【００６３】
この発明のいくつかの実施例においては、既に上に論じられたように、缶端部２は一方が他方の上に積重ねられてもよく；缶端部の形状および寸法は次いでそれらが積重ねられてもよいような状態である。図３７は、図３６ａにおいて示されるような「標準端部」缶端部２の積層を示し、一方、図３８は、SuperEnd TM缶端部２の積層を示し；両方の場合において、各缶端部２には、第１の側１０１と、第１の側の反対に第２の側１０２とがあり、第２の側１０２は、別の同一の缶端部２の第１の側１０１を受けることに対して適合される。SuperEnd TM缶端部２の利点の１つは、缶端部２の積層が必ずしも真っすぐではないということであり：図３８において示されるように、高さＡを有する缶端部２の積層において、最上部缶端部は最下部缶端部に関して距離Ｂにわたって移動されてもよい。この事実は、生産段階において缶端部の積層が運ばれるときに、有利に用いられてもよい。
【００６４】
図３９は、図３３〜図３８において示される弾性要素１０の実施例とともに用いられてもよい、既に上に論じられた中間要素８０の実施例を示し、一方、図４０は、この中間要素８０を含むアセンブリの分解図を示す。図４０の実施例においては、弾性復元要素１０は２つの異なる部品、部品１０ａおよび部品１０ｂを含む。２つの部品は、この単一要素が折り畳みＬＬに沿って切断されるとき、図３４ａの弾性復元要素１０において示される通りである。
【００６５】
２つの部品からなる弾性復元要素を有することの利点は、２つの部品が異なる材料から形成されてもよいということである。部品１０ｂは、隆起した口唇接触部分７ａを含んでおり、たとえば高い塑性変形を可能にする鋼から形成されてもよく、一方、部品１０ａは、たとえば既に上に論じられたようなステンレスオーステナイト鋼から形成されてもよい。
【００６６】
中間要素８０は２つのニップル８５、８６および／または折り返し８７を含んでもよい。中間要素８０は接着剤によって缶端部２に取付けられてもよい。単一片からなる弾性復元要素１０が用いられる一実施例においては、それはニップル８５および８６を介して中間要素８０に取付けられてもよい。２つの部品１０ａおよび１０ｂを有する弾性復元要素１０が用いられる別の実施例においては、両方の部品１０ａおよび１０ｂが折り返し８７を介して中間要素８０にクランプされてもよい。
【００６７】
この発明が開示するのは、選択肢的に炭酸飲料のための、金属製飲料用缶のための缶端部２であって、前記缶端部は、キャップトップ３を含み、前記キャップトップ３は、飲用または注ぎ用アパーチャを形成するよう、予め規定された溝９に沿って前記キャップトップを前記缶端部から除去するように構成されるプルタブ４に接続状態で配され；前記缶端部はさらに、缶端部に取付けられる、弾性復元要素１０と；前記弾性復元要素１０の一部であるかまたは前記弾性復元要素１０に接続され、飲用後または注いだ後に、前記弾性復元要素１０の作用によって、飲用または注ぎ用アパーチャを閉じて封止するように構成される、弾性的に動作される遮断弁６とを含み；前記キャップトップ３は、前記除去の後、前記遮断弁６の上に位置するままであるように構成される。
缶端部において、前記弾性復元要素１０は、前記キャップトップ３を移動させると前記遮断弁６を開いた位置において保持するための保持手段３２を有する。
缶端部において、前記保持手段３２は、前記キャップトップ３を前記プルタブ４によって移動させると前記遮断弁６を前記開いた位置において保持するためのものである。
缶端部において、前記キャップトップ３は上側表面を有し、前記上側表面に、隆起した口唇接触部分７を含む。
缶端部において、前記保持手段３２は、前記キャップトップ３を前記隆起した口唇接触部分７によって移動すると前記遮断弁６を前記開いた位置において保持するためにある。
缶端部において、前記遮断弁６は、前記キャップトップ３との相互作用によって作動可能であり、第１の圧力をかけられると缶の内部からガス圧力を解放するように構成される逃がし弁８を含む。
缶端部において、前記保持手段は、前記開いた位置にあるときに、前記缶端部を含む缶をひっくり返すかまたは落とすと、前記遮断弁６を解放して、前記飲用または注ぎ用アパーチャを閉じて封止するように構成される。
缶端部において、前記保持手段は、前記開いた位置にあるときに、前記弾性復元要素１０、前記遮断弁６、前記キャップトップ３の群から選択される要素に力をかけることによって、前記遮断弁６を解放して、前記飲用または注ぎ用アパーチャを閉じて封止するように構成される。
缶端部において、前記力は前記缶のユーザによってかけられる。
缶端部において、前記力をかけることは、前記ユーザが前記缶を軽く叩くことである。
缶端部において、前記遮断弁６は、第１の係合手段３１を含み、前記保持手段３２は、前記第１の係合手段３１を係合するための第２の係合手段３２を含む。
缶端部において、前記第１の係合手段３１はフック手段３１である。
缶端部において、前記遮断弁６は周縁を有し、前記周縁のまわりに封止１９を含む。
缶端部において、前記弾性復元要素１０は、前記遮断弁６の閉鎖を遅くするために、制動手段５５を含む。
缶端部において、前記弾性復元要素１０は、２ｍｍ未満の総厚みを有する。
缶端部において、前記弾性復元要素１０は、１ｍｍ未満の総厚みを有する。
缶端部において、前記弾性復元要素１０は、０．５ｍｍ未満の総厚みを有する。
缶端部において、前記弾性復元要素は板ばね手段９５を含む。
缶端部は、前記弾性復元要素１０と前記缶端部との間に中間要素８０をさらに含む。
缶端部において、前記弾性復元要素１０は、前記缶端部のリム３０の下に延在する延在された部分１４を有し、内部圧力が前記缶端部を変形させると、前記延在された部分１４と前記リム３０との間に接触が生じ、前記接触は前記逃がし弁８の開口を起動する。
前記缶端部は、第１の側１０１と、第１の側の反対に第２の側１０２とを有し、前記第２の側１０２は、缶端部の積層の形成のために、同一の缶端部の第１の側１０１を受けるよう適合される。
缶端部において、前記弾性復元要素１０は、端部５’’’を有する曲げ返された部分５’を含むばね手段５を含み、前記弾性復元要素１０は、前記缶端部２の下側に対して前記遮断弁６を付勢するために構成され、前記曲げ返された部分５’の前記端部５’’’は、それ自体が、前記遮断弁６の下側に対して付勢され、前記逃がし弁８は：前記遮断弁６の解放開口部２６と；前記曲げ返された部分５’の前記端部５’’’に取付けられ、缶が使用されていないとき、前記解放開口部２６を閉じるように構成される封止要素２７と；前記解放開口部２６より上に位置決めされるように構成された、キャップトップ３の膨張部２５とを含み、第１の接触圧力で、膨張部２５は封止要素２７を解放開口部２６から押しのけ、それによって、缶の内側から内側圧力を減少させる。
缶端部において、前記缶は側壁３５を有し、前記弾性復元要素１０は、前記缶端部が前記缶に取付けられているときに、前記側壁３５に向けて延在する突起３３を含み、前記弾性復元要素１０の上に前記力をかけるために、前記ユーザが前記側壁３５を押すことを可能にする。
缶端部において、前記曲げ返された部分５’は、前記遮断弁６を前記開いた位置に向かって移動させると前記突起３３を前記缶の前記側壁３５に向かって移動するために引伸ばされるための湾曲部分５”を有する。
缶端部において、前記曲げ返された部分５’は、前記缶端部のリム３０の下に延在する延在された部分１４を有し、内部圧力が前記缶端部を変形させると、前記延在された部分１４と前記リム３０との間に接触が生じ、前記接触は前記解放開口部２６の開口を起動する。
缶端部において、前記ばね手段５は板ばね５である。
缶端部において、前記板ばね５は強化された部分５３を有する。
缶端部において、前記遮断弁６は、弾性結合手段１３および１３’によって前記ばね手段５に結合される。
缶端部において、前記弾性結合手段１３および１３’は非対称の弾性特性を有する。
缶本体１とこの発明に従う缶端部２の実施例とを含む、選択肢的に炭酸飲料のための金属製飲料用缶。
選択肢的に炭酸飲料のための金属製飲料用缶を製造する方法であって、この発明に従う缶端部２の実施例を製造するステップと；缶本体１を製造するステップと；缶端部を缶本体に取付けるステップとを含む。
選択肢的に炭酸飲料のための、再閉する金属製飲料用缶を用いるための方法であって、前記缶は缶本体１と缶端部２とを含み、前記方法は、前記缶端部２のプルタブ４を動かし、前記缶端部の予め定められた溝９に沿って前記缶端部２のキャップトップ３を除去して、飲用または注ぎ用アパーチャを形成するステップと；前記缶端部の弾性復元要素１０の一部であるかまたは前記弾性復元要素１０に接続され、飲用後または注いだ後に、前記弾性復元要素１０の作用によって、前記飲用または注ぎ用アパーチャを閉じて封止するように構成される遮断弁６を、前記プルタブ４を動かすことによって、弾性的に開くステップとを含み；前記除去されたキャップトップ３は、前記遮断弁６の上に位置するままである。
方法は、前記弾性復元要素１０によって、前記遮断弁６を開いた位置において保持するステップをさらに含む。
方法は、前記遮断弁６の第１の要素３１を、前記弾性復元要素１０の第２の要素３２と係合し、前記遮断弁６を前記開いた位置において保持するステップをさらに含む。
方法は、前記遮断弁６が前記開いた位置にあるときに、前記弾性復元要素１０上もしくは前記遮断弁６上または前記弾性復元要素１０および前記遮断弁６の両方上に力をかけ、前記遮断弁６を前記弾性復元要素１０から解放し、前記飲用または注ぎ用アパーチャを閉じるステップをさらに含む。
方法において、前記力をかけることは、前記缶を軽く叩いて、前記遮断弁６を前記弾性復元要素１０から解放し、前記飲用または注ぎ用アパーチャを閉じるステップを含む。 
方法において、前記力をかけることは、前記缶の側壁３５を押して、前記弾性復元要素１０の突起３３を押して、前記遮断弁６を前記弾性復元要素１０から解放し、前記飲用または注ぎ用アパーチャを閉じるステップを含む。
方法は、前記プルタブ４を再度動かして前記遮断弁６を再度開き、前記遮断弁６を前記開いた位置において保持して前記缶を再度開くステップをさらに含む。
方法は、前記キャップトップ３の上側表面において隆起した口唇接触部分７と接触させ、前記遮断弁６を再度開いて、前記缶を再度開くステップをさらに含む。
方法は、逃がし弁８を作動させて、前記遮断弁６を再度開く前に、前記缶の内側のガス圧力を解放するステップをさらに含む。
方法は、前記缶端部２を変形させ、それによって、前記缶端部２のリム３０によって前記弾性復元要素１０の延在された部分１４と接触し、およびそれによって、前記遮断弁６の解放開口部２６を開けるステップをさらに含む。
方法は、前記缶を加熱して、前記缶端部２を変形させるステップをさらに含む。
この発明は上に記載された実施例に限定されない。この発明の範囲は特許請求の範囲によって規定される。
【図１ａ】
0005986087.tif 000002
【図１ｂ】
0005986087.tif 000003
【図２ａ】
0005986087.tif 000004
【図２ｂ】
0005986087.tif 000005
【図３ａ】
0005986087.tif 000006
【図３ｂ】
0005986087.tif 000007
【図４】
0005986087.tif 000008
【図５】
0005986087.tif 000009
【図６ａ】
0005986087.tif 000010
【図６ｂ】
0005986087.tif 000011
【図７】
0005986087.tif 000012
【図８】
0005986087.tif 000013
【図９ａ】
0005986087.tif 000014
【図９ｂ】
0005986087.tif 000015
【図１０ａ】
0005986087.tif 000016
【図１０ｂ】
0005986087.tif 000017
【図１１】
0005986087.tif 000018
【図１２ａ】
0005986087.tif 000019
【図１２ｂ】
0005986087.tif 000020
【図１３ａ】
0005986087.tif 000021
【図１３ｂ】
0005986087.tif 000022
【図１４ａ】
0005986087.tif 000023
【図１４ｂ】
0005986087.tif 000024
【図１５ａ】
0005986087.tif 000025
【図１５ｂ】
0005986087.tif 000026
【図１６ａ】
0005986087.tif 000027
【図１６ｂ】
0005986087.tif 000028
【図１７ａ】
0005986087.tif 000029
【図１７ｂ】
0005986087.tif 000030
【図１８】
0005986087.tif 000031
【図１９ａ】
0005986087.tif 000032
【図１９ｂ】
0005986087.tif 000033
【図２０】
0005986087.tif 000034
【図２１】
0005986087.tif 000035
【図２２】
0005986087.tif 000036
【図２３】
0005986087.tif 000037
【図２４ａ】
0005986087.tif 000038
【図２４ｂ】
0005986087.tif 000039
【図２５ａ】
0005986087.tif 000040
【図２５ｂ】
0005986087.tif 000041
【図２６】
0005986087.tif 000042
【図２７】
0005986087.tif 000043
【図２８ａ】
0005986087.tif 000044
【図２８ｂ】
0005986087.tif 000045
【図２９】
0005986087.tif 000046
【図３０】
0005986087.tif 000047
【図３１】
0005986087.tif 000048
【図３２】
0005986087.tif 000049
【図３３ａ】
0005986087.tif 000050
【図３３ｂ】
0005986087.tif 000051
【図３４ａ】
0005986087.tif 000052
【図３４ｂ】
0005986087.tif 000053
【図３５ａ】
0005986087.tif 000054
【図３５ｂ】
0005986087.tif 000055
【図３６ａ】
0005986087.tif 000056
【図３６ｂ】
0005986087.tif 000057
【図３７】
0005986087.tif 000058
【図３８】
0005986087.tif 000059
【図３９】
0005986087.tif 000060
【図４０】
0005986087.tif 000061